(57)【要約】【課題】従来の授乳ケープ、授乳エプロンでは前方からの視線をカバーできるが、その構造上のため容易に布が肩からずれ落ちて、母親が落ち着いて授乳できない。また、女性として見られたくない脇腹や背中は正常に装着していてもむき出しである。【解決手段】従来の主な形状である横長の長方形の授乳用ケープをさらに横方向に長くし、ほぼ正方形の背中側の当て布をスナップ・ホックで連結させた。この着用者のぐるり周囲を巻くような形状になったことで、今まで無防備であった後方からの視線、むき出しになる脇腹をカバーでき、且つ、授乳用ケープの中で両手を自由に動かせる。首ひもが授乳用ケープを吊り支えているので、ずり落ちる心配もなく、直接乳児を抱き、安心安全に他者の目を気にすることなく授乳をすることが可能となる。【選択図】図１１
2011069003.tif 000002
【特許請求の範囲】
【請求項１】
着用者のサイズに合わせて調整するバックルを備えた首ひもを着用者の首にかけることによって支持されるゆるやかな円弧の空間ができる胸元の覗き口を備えた授乳用ケープ本体と、着用者の後方に背中を覆う背中側の当て布を備えたことを特徴とした授乳用ケープ。
【請求項２】
前記授乳用ケープ本体と背中側の当て布に、着用者のサイズや乳児の成長に対応可能な取り付け用スナップ・ホックを設けたことを特徴とする請求項１記載の授乳用ケープ。
【請求項３】
前記授乳用ケープ本体と背中側の当て布に、着用者の便宜を図るため、スナップ・ホックを上部のみに取り付けることを特徴とする請求項１または２に記載の授乳用ケープ。
【請求項４】
前記胸元の覗き口は、該胸元のゆるやかな円弧の形態を保持する形態安定手段が設けられていることを特徴とする請求項１記載の授乳用ケープ。
【発明の詳細な説明】
【技術分野】
【０００１】
本発明は、乳児に授乳を行う際、母親の胸部のみならず、脇腹など母親が見られたくない露出する部分までカバーする授乳ケープに関する。
【背景技術】
【０００２】
従来の授乳ケープ、授乳エプロンは特開２００３−５５８１６号公報記載の形が公知である。同公報記載の授乳用ケープは一枚の長方形の布に首にかかる首ひもをつけ、授乳状態を母親がのぞきやすくするための胸元に芯を入れて張りを持たせた胸部前面側のみを覆うエプロン状のものである。
【特許文献１】特開２００３−５５８１６号
【０００３】
また、実用新案第３１４４３０７号公報には上記一枚物の形状では赤ちゃんの手足のバ
タつきにより布が肩から肌蹴ることを防ぐ目的で作られた授乳ケープもある。
【特許文献２】実用新案第３１４４３０７号
【発明の開示】
【発明が解決しようとする課題】
【０００４】
以上に述べた従来の授乳用ケープでは、母親が授乳中の様子を胸元から覗くことで乳児の様子を確認でき、他者の正面からの視線には耐え得ることが可能であった。しかし、一枚の長方形と首ひもで構成されている形状では肩に掛けた布の端が授乳時の子供の動きや、風などの外的要因で肩から前方にずれ落ちる。ずれ落ちてしまうと、隠したいはずの胸元がむき出しになり、母親はそれを気にして授乳に専念できない。そのため、乳児を直接抱かず、授乳用ケープの外から抱く形を取る場合もある。実際には直接乳児を抱かずに授乳する行為は危険である。それらの良くない点を改善した文献２記載の授乳用ケープが肩を覆う形状のものであるが、その授乳用ケープでは母親の背面や脇腹をカバーするものがなく、乳児の動きにより、肩からずれ落ちることはなくとも、母親が最も気にする出産直後のたるんだ脇腹や、授乳のために服をたくしあげて露出する背中の部分を隠すことはできないといった問題点がある。
【０００５】
本発明は上述のような出産直後のデリケートな母親の心情をも考慮し、乳児に安全かつ落ち着いて授乳ができる授乳用ケープを提供することを目的とする。
【課題を解決するための手段】
【０００６】
そして、本発明は上記目的を達成するために、請求項１記載の発明は、着用者のサイズに合わせて調整するバックルを備えた首ひもを着用者の首にかけることによって支持されるゆるやかな円弧の空間ができる胸元の覗き口を備えた授乳用ケープ本体と、着用者の後方に背中を覆う背中側の当て布を取り付けることを特徴とする。
【０００７】
請求項２記載の発明は、上記１項において、前記授乳用ケープ本体と背中側の当て布に、着用者のサイズや乳児の成長に対応可能な取り付け用スナップ・ホックを設けたことを特徴とする。
【０００８】
請求項３記載の発明は、上記１項または２項において、前記授乳用ケープ本体と背中側の当て布に、着用者の便宜を図るため、スナップ・ホックを上部のみに取り付けることを特徴とする。  
【０００９】
請求項４記載の発明は、上記１項において、前記胸元の覗き口は、該胸元のゆるやかな円弧の形態を保持する形態安定手段が設けられていることを特徴とする。  
【発明の効果】
【００１０】
上述のように、請求項１記載の発明によれば、着用者のサイズに合わせて調整するバックルを備えた首ひもを着用者の首にかけることによって支持されるゆるやかな円弧の空間ができる胸元の覗き口を備えた授乳用ケープ本体と、着用者の後方に背中を覆う背中側の当て布を備えている。これにより、着用者のぐるり周囲を布でカバーした形での装着となり、授乳時に乳房、脇腹、背中の露出を防止することが可能であり、授乳用ケープがずり落ちてはだける心配もなく安心して授乳をすることが可能となる。  
【００１１】
特に、請求項２記載の発明によれば、授乳用ケープ本体と背中側の当て布に着用者のサイズや乳児の成長に対応可能な取り付け用スナップ・ホックを設けている。これにより、着用者や乳児のサイズに合わせて授乳用ケープの大きさを調節することができ、安心で快適な装着状況をどのような時も提供できることが可能となる。
【００１２】
特に、請求項３記載の発明によれば、授乳用ケープ本体と背中側の当て布に着用者の便宜を図るために、スナップ・ホックを上部のみにしか取り付けないことを特徴とする。こうすることにより、授乳用ケープの下方はフレキシブルに動くことができ、巻き付いた形状の授乳用ケープ本体で着用者の手の動き、乳児の動きを拘束することがなく、安心安全便利に授乳し、着脱も容易にすることが可能となる。
【００１３】
特に、請求項４記載の発明によれば、胸元の覗き口は該胸元のゆるやかな円弧の形態を保持する形状安定手段が設けられており、これにより、着用者は乳児の授乳を確認でき、目と目を合わせることができるので、閉鎖された空間の中で乳児へ安心感を与えながら授乳を行うことが可能である。
【発明を実施するための形態】
【００１４】
以下、本発明に係る授乳用ケープ００について添付図面を参照して説明する。図１は本発明の展開図（ケープ表側を表示）、図２は同じく展開図（ケープ裏側を表示）、図３は正面図（ＳＭＬサイズ共通）、図４は背面図（Ｍサイズ・乳児中期頃）、図５は背面図（Ｌサイズ・乳児後期頃）、図６は背面図（Ｓサイズ・新生児頃）、図７は実施形態の授乳用ケープの概略斜視図（Ｍサイズ左右方向から）、図８は実施形態の授乳用ケープの概略斜視図（Ｌサイズ左右方向から）、図９は実施形態の授乳用ケープの概略斜視図（Ｓサイズ左右方向から）、図１０は装着状態での正面図（ＳＭＬサイズ共通）、図１１は装着状態の上部からの図及び左右両側の三面図（Ｍサイズ）、図１２は装着状態の上部からの図及び左右両側の三面図（Ｌサイズ）、図１３は装着状態の上部からの図及び左右両側の三面図（Ｓサイズ）、    図１４は本発明の実施形態のスナップ・ホック別案を示す展開図（表）、図１５は本発明の実施形態のスナップ・ホック別案を示す展開図（裏）である。
【００１５】
図１〜図９に示されるように、本実施形態の授乳用ケープ００は、授乳用ケープ本体０１と、首ひも０２と、バックル０３と、胸元の覗き口０４と背中側の当て布０５と、スナップ・ホック０６、０７とを主要な構成要素としている。また、授乳用ケープ本体０１と、首ひも０２と、背中側の当て布０５の素材は赤ちゃんの肌に安全な国内産綿１００％の布を採用し、デザイン的に見栄えのするように同じ柄の共布を使用している。          
【００１６】
授乳用ケープ本体０１は横長の長方形であり、図１〜図９に示されるように、本実施形態の授乳用ケープ００を成す基本の部分品である。その主な目的は、着用者の授乳中に前方からの視線をカバーすることである。      
【００１７】
図１、図２に示されるように、Ｅ１〜Ｅ４は授乳用ケープ本体０１の横長長方形の各４辺を記しており、その役割は、授乳用ケープ本体０１に取り付ける部材などの配置基準である。Ｅ１は授乳用ケープ本体０１の上辺、Ｅ２は装着時左側縦一辺、Ｅ３は同じく右側縦一辺でＥ２とＥ３はＥ１と垂直な関係である。Ｅ４は授乳用ケープ本体０１の下辺であり、Ｅ２とＥ３と垂直な関係である。
【００１８】
前述に続き、Ｅ５〜Ｅ８は背中側当て布０５の各４辺を記している。その役割は、主に、Ｅ５、Ｅ６、Ｅ７において、スナップ・ホックの配置基準である。Ｅ５は背中側当て布０５の上辺、Ｅ６は装着時右側縦一辺、Ｅ７は同じく左側縦一辺でＥ６とＥ７はＥ５と垂直な関係である。Ｅ８は背中側当て布０５の下辺であり、Ｅ６とＥ７と垂直な関係である。      
【００１９】
バックル０３は市販品のプラスチック製であり、突起形状のはめるとストッパー役になるオス（凸）部分と、その突起部分を受け入れる形状のメス（凹）部分の２つのパーツで構成されており、幅広のひもを２本、それぞれのパーツの先端のひもの通し口に通して取り付ける一般製品である。バックル０３のオス部分はひもの長さ調節ができるので、首ひも０２の長い方を取り付け、その反対側の先端を授乳用ケープ本体０１に縫いつける。そして、短い首ひも０２はバックル０３のメス部分のひも通し口に通して、同じく授乳用ケープ本体０１に縫いつける。
【００２０】
図１、図２に示されるように、上述のバックル０３は着用者のサイズに合わせて首ひもの適切な長さＬ１を決めることができ、オス部分にあるつまみをつまむことで、オス部分、メス部分が瞬時に外れ、授乳用ケープ００の着脱が簡単に素早く行うことが可能となる。
【００２１】
図１、図２に示されるように、上述のバックル０３を取り付けた首ひも０２の授乳用ケープ本体０１に縫いつける位置は、授乳用ケープ本体０１の上辺Ｅ１中央から左右振り分けた幅Ｗ２の端に縫いつける。この幅Ｗ２は着用時にゆるやかな円弧の張りを着用者の胸元に形成させるために、プラスチックなどの程良くしなる固い芯を授乳用ケープ本体０１の中に施した胸元の覗き口０４の適切な幅の長さを示している。
【００２２】
図７〜図９に示されるように、首ひも０２を着用者の首にかけることにより、ゆるやかな円弧に張りを出す胸元の覗き口０４を形成し、かつ、授乳用ケープ００全体がずり落ちないように支持が可能となる。
【００２３】
胸元の覗き口０４はプラスチックなどの程良くしなる固い芯を授乳用ケープ本体０１の中に施し、上述のように首ひも０２を着用者の首にかけることにより、ゆるやかな円弧の空間を着用者の胸元に形成させることが可能である。その目的は、図１１〜図１３に示されるように、胸元のゆるやかな円弧の空間を着用者である母親が覗き、授乳中の乳児の様子を確認できることである。このように、授乳用ケープ００で閉鎖的な状況においても乳児は母親と目を合わせることができるので安心して授乳を受けることが可能となる。
【００２４】
また、図１、図２に示される胸元の覗き口０４の幅であるＷ２の長さは、着用者が授乳の様子をうつむき加減に覗きこむと、そのゆるやかな円弧を形成する胸元の覗き口０４の空間を着用者の頭によって、上方からの視線を遮ることのできる最適な長さを示している。
【００２５】
図１、図２に示されるように、授乳用ケープ本体０１に胸元の覗き口０４が施され、バックル０３が取り付けられた首ひも０２が授乳用ケープ本体０１に縫いつけられることにより、授乳用ケープ００の大部分の形が形成される。この形は従来の授乳ケープ、授乳エプロンと形が似ている。（特開２００３−５５８１６号公報）しかし、従来品では布の両端を着用者の肩にひっかける使用方法であるため、着用者の動きや、乳児の手足のばたつき、風などの外的要因によって容易に前方へずれ落ちてくると言う問題点がある。そのずれ落ちを簡単に起こさないために授乳用ケープ本体０１の横方向の適切な長さＷ１を割り出し、従来品より横方向に長くしている。
【００２６】
上述のように、授乳用ケープ本体０１の横方向の布幅Ｗ１を長くすることで、多少の乳児の足の動きにも母親の肩に掛けた布の両端が前方にずり落ちてくこと少なくなったが、母親が気にする出産後のたるんだ脇腹や、背中の露出した部分は隠しきれていない。
【００２７】
そこで、本発明は、図４〜図６に示されるように、背中側の当て布０５を授乳用ケープ本体０１にスナップ・ホック０６、０７で取り外し可能な状態で追加する。こうすることにより、図７〜図９に示されるように、本発明の授乳用ケープ００の形状が成り立つ。
【００２８】
図１、図２に示されるように、背中側の当て布０５はほぼ正方形の形状で授乳用ケープ本体０１と、首ひも０２と同じ乳児の肌に安全な国内産綿１００％の共布で作られている。背中側の当て布０５の横幅Ｗ５は、平均的な女性の背中側のウエストラインをほぼ隠せる横の長さである。そして、縦長さＨ２は、着用者である母親が授乳時に、服をたくしあげてむき出しになる背中の部分を覆い隠し、且つ、椅子などに座るときにスムーズにアプローチできる、その動作の妨げにならない程度の縦の高さである。
【００２９】
上述の背中側の当て布０５は、授乳用ケープ本体０１とスナップ・ホック０６、０７でつなぎとめて、図４〜図６のように円筒状になるものである。このスナップ・ホックは、着脱しやすいオスメス（凸凹）の合体で留まるひと組のボタンで構成されている一般市販品である。
【００３０】
図１、図２に示されるように、横方向では授乳用ケープ本体０１の上辺Ｅ１と背中側の当て布０５の上辺Ｅ５からスナップ・ホックオスメスの着脱に扱いやすい適当な距離に４組のスナップ・ホックを取り付ける。それぞれの横方向の取り付け位置Ｗ３、Ｗ４、Ｗ６、Ｗ７、Ｗ８は服飾市場代表的なＳＭＬサイズの女性に新生児を抱かせてモデルにし、Ｗ３、Ｗ４は授乳用ケープ本体０１の縦一辺Ｅ２、Ｅ３から割り出した位置間隔（距離）であり、Ｗ７、Ｗ８は背中側の当て布０５の縦一辺Ｅ６、Ｅ７から割り出した位置間隔（距離）である。
【００３１】
本発明の授乳用ケープ００は図１１〜図１３に示されるように、ＳＭＬサイズのどの着用者も授乳用ケープ００がずり落ちず、締めつけられず、見られたくない体の部分をカバーする、その同じ装着感を得なければならない。よって、図１、図２に示されるように、授乳用ケープ本体０１の上辺Ｅ１と背中側の当て布０５の上辺Ｅ５方向に取り付けるスナップ・ホックの横方向取り付け間隔Ｗ４とＷ７は同じ距離であり、≪Ｍサイズ≫の装着状態を≪Ｌサイズ≫で再現した時に必要な距離を示している。また、授乳用ケープ本体０１の両端Ｅ２、Ｅ３を基準に決めたＷ３と、背中側の当て布０５の両端Ｅ６、Ｅ７を基準に決めたＷ６は≪Ｌサイズ≫の装着時に授乳用ケープ本体０１と背中側当て布０５が開き過ぎないために必要な重なり部分であり、その距離を示している。Ｗ８については、背中側の当て布０５が「００２８」で述べているように、必要な横幅Ｗ５からＷ６の２ヶ所とＷ７の２ヶ所を差し引いた距離である。
【００３２】
なお、便宜上、図４に示されるように≪Ｍサイズ≫を基準にして、装着時前方側のスナップ・ホックのオスを０６とし、装着右側のスナップ・ホックを０６−Ｒと示し、左側を０６−Ｌと示した。０６−Ｒまたは０６−ＬからＷ４（Ｗ７）分外側にスナップ・ホックを取り付け、同じく右側を０７−Ｒ、左側を０７−Ｌと示した。スナップ・ホックのメス側には０６’−Ｒのように「’」マークを付けて区別して示している。よって、この４つのスナップ・ホックの取り付け間隔が着用者のＳＭＬのサイズ展開を可能としている。
【００３３】
着用者は本発明の授乳用ケープ００を図１１〜図１３に示されるように、スナップ・ホックで適切なサイズ調整してから、かぶって装着する。着用者の首に掛けた首ひも０２が授乳用ケープ本体０１を吊り支えることにより、授乳用ケープ本体０１の横長さＷ１の上端が着用者の両肩山より下を後方へ沿い、前述の背中側の当て布０５へつながる。また、背中側の当て布０５が着用者の背中にぴったりと沿い、それがアンカーになって、着用者の周囲をぐるりと包み込む形での安定した装着状態となる。
【００３４】
このような装着状態は従来品の授乳ケープ、授乳エプロンの両端を着用者の肩にひっかける装着方法ではないので、布がずり落ちることもなく、着用者が見られたくなかった胸元、たるんだ脇腹、服をたくしあげてむき出しになった背中も他者の視線からカバー可能となっている。
【００３５】
また、本発明の装着形態であれば、肩にかけての装着ではないので、授乳用ケープ本体０１の縦長さＨ１は従来品より短くすることが可能である。短くした効果として、着用者が乳児を抱き、椅子などに座ろうとする時に、縦に長い布ではもたついたりするが、本発明では、図１１〜図１３に示されるように、他者からの視線をカバーする箇所のみしっかり隠していれば、首ひも０２と、背中側の当て布０５とで授乳用ケープ本体０１は吊り支えられているので、着用者の動きを邪魔したりせずに、椅子へのアプローチもスムーズになり、乳児を抱いているときの危険なもたつきを感じることもなく安心安全に授乳に専念することが可能となる。
【００３６】
本発明の授乳用ケープ００は上述のスナップ・ホック０６、０７の組み合わせと、Ｗ４、Ｗ７の距離約１０ｃｍの間隔が母親のＳＭＬサイズ、または乳児の成長過程に合わせてのサイズ展開が可能となっている。
【００３７】
図４は背面図（Ｍサイズ・乳児中期頃）、図７は実施形態の授乳用ケープの概略斜視図（Ｍサイズ左右方向から）、図１１は装着状態の上部からの図及び左右両側の三面図（Ｍサイズ）であり、３図面とも基本のＭサイズのスナップ・ホックの付け方を示している。≪Ｍサイズ≫は授乳用ケープ０１の装着右側スナップ・ホック０６−Ｒオスと背中側当て布０５のスナップ・ホック０６’−Ｒメスを留め、同様に０７−Ｒオスと０７’−Ｒメスを留める。装着左側のスナップボタン０６−Ｌオスと０６’−Ｌメスを留め、０７−Ｌオスと０７’−Ｌメスを留める。この状態で女性Ｍサイズとなり、また、中期頃の乳児を抱いて授乳させるときに装着可能なサイズである。
【００３８】
図５は背面図（Ｌサイズ・乳児後期頃）、図８は実施形態の授乳用ケープの概略斜視図（Ｌサイズ左右方向から）、図１２は装着状態の上部からの図及び左右両側の三面図（Ｌサイズ）であり、３図面ともＬサイズのスナップ・ホックの付け方を示している。≪Ｌサイズ≫は授乳用ケープ０１の装着右側スナップ・ホック０７−Ｒオスと背中側当て布０５のスナップ・ホック０６’−Ｒメスを留め、装着左側のスナップ・ホック０７−Ｌオスと０６’−Ｌメスを留める。この状態で先述のＭサイズより約２０ｃｍの余裕ができ、女性Ｌサイズとなる。また、後期頃の乳児を抱いて授乳させるときに装着可能なサイズである。
【００３９】
図６は背面図（Ｓサイズ・新生児頃）、図９は実施形態の授乳用ケープの概略斜視図（Ｓサイズ左右方向から）、図１３は装着状態の上部からの図及び左右両側の三面図（Ｓサイズ）であり、３図面ともＳサイズのスナップ・ホックの付け方を示している。≪Ｓサイズ≫はＭサイズと同様にスナップ・ホックを留めておき、ボタン０８をボタン紐０９で留める。Ｍサイズより約１５ｃｍサイズダウンし、且つ、授乳用ケープ０１の背中側裾が広がっても、背中の当て布０５が母親の背中をカバーしている。
【００４０】
次にもう一つのスナップ・ホック０６、０７の組み合わせを変えての配置取付け方法は図１４、図１５に示されている。図１４、図１５のように授乳用ケープ０１装着右側のスナップ・ホックのオス０６−Ｒと０７−Ｒをメスの０６‘−Ｒと０７’−Ｒに変更する。同様に背中の当て布０５装着右側のスナップ・ホックのメス０６‘−Ｒと０７’−Ｒをオスの０６−Ｒと０７−Ｒに入れ替えて取り付ける。そうすることにより、ＳＭＬのサイズ調整が可能でありながら、上述のＳサイズの調節方法でボタン０８とボタン紐０９を必要とせずに装着可能となる。
【００４１】
なお、このスナップ・ホックに換えて、マジックテープ（登録商標）、ボタンとボタン穴を用いることも可能である。
【００４２】
以上のように本実施形態の授乳用ケープ００によれば、背中側の当て布０５がアンカーになり、授乳時にケープが前方にずり落ちることもなく、また、母親と抱いている乳児の周りを覆う形で授乳用ケープが装着できるので、母親が見られたくない露出する部分をすべて覆い隠し、かつ、乳児を直接抱くことができるのでより安全に安心して授乳が可能となる。
【産業上の利用可能性】
【００４３】
以上のように本発明によれば、授乳時における露出する母親の肌全てを覆い隠し、かつ、乳児の様子を確認しながら安心して円滑な授乳を行うことが可能である。
【図面の簡単な説明】
【００４４】
【図１】本発明の実施形態を示す展開図（表）である。
【図２】本発明の実施形態を示す展開図（裏）である。
【図３】本発明の実施形態を示す正面図≪ＳＭＬサイズ共通≫である。
【図４】本発明の実施形態を示す背面図≪Ｍサイズ≫である。
【図５】本発明の実施形態を示す背面図≪Ｌサイズ≫である。
【図６】本発明の実施形態を示す背面図≪Ｓサイズ≫である。
【図７】本発明の実施形態を示す概略斜視図≪Ｍサイズ≫である
【図８】本発明の実施形態を示す概略斜視図≪Ｌサイズ≫である
【図９】本発明の実施形態を示す概略斜視図≪Ｓサイズ≫である
【図１０】本発明の実施形態の使用例示す正面図≪ＳＭＬサイズ共通≫である。
【図１１】本発明の実施形態の使用例示す三面図≪Ｍサイズ≫である。
【図１２】本発明の実施形態の使用例示す三面図≪Ｌサイズ≫である。
【図１３】本発明の実施形態の使用例示す三面図≪Ｓサイズ≫である。
【図１４】本発明の実施形態のスナップ・ホック別案を示す展開図（表）である。
【図１５】本発明の実施形態のスナップ・ホック別案を示す展開図（裏）である。
【符号の説明】
【００４５】
００        授乳用ケープ
０１        授乳用ケープ本体（長方形）
０２        首ひも
０３        バックル
０４        胸元の覗き口
０５        背中側の当て布（正方形）
０６−Ｒ    本体０１と当て布０５を結合するためのスナップ・ホック（本体右側）
０６’−Ｒ  本体０１と当て布０５を結合するためのスナップ・ホック（０５右側）
０６−Ｌ    本体０１と当て布０５を結合するためのスナップ・ホック（本体左側）
０６’−Ｌ  本体０１と当て布０５を結合するためのスナップ・ホック（０５左側）
０７−Ｒ    本体０１と当て布０５を結合するためのスナップ・ホック（本体右側）
０７’−Ｒ  本体０１と当て布０５を結合するためのスナップ・ホック（０５右側）
０７−Ｌ    本体０１と当て布０５を結合するためのスナップ・ホック（本体左側）
０７’−Ｌ  本体０１と当て布０５を結合するためのスナップ・ホック（０５左側）
０８        本体０１の右側０９ボタン紐で留めるＳサイズ用ボタン（本体左側）
０９        本体０１の左側０８ボタン紐で留めるＳサイズ用ボタン（本体右側）
Ａ          母親
Ｂ          乳児
Ｅ１        本体０１の上辺
Ｅ２        本体０１の装着時左側縦一辺
Ｅ３        本体０１の装着時右側縦一辺
Ｅ４        本体０１の下辺
Ｅ５        当て布０５の上辺
Ｅ６        当て布０５の装着時右側縦一辺
Ｅ７        当て布０５の装着時左側縦一辺
Ｅ８        当て布０５の下辺
Ｗ１        本体０１横の長さ
Ｗ２        胸元の覗き口０４の横の長さ
Ｗ３        スナップ・ホック０７−Ｒ（Ｌ）の本体０１に取り付ける位置（距離）
Ｗ４        スナップ・ホック０６−Ｒ（Ｌ）のスナップ・ホック０７−Ｒ（Ｌ）からの位置（距離）
Ｗ５        背中の当て布０５横の長さ
Ｗ６        スナップ・ホック０６’−Ｒ（Ｌ）の当て布０５に取り付ける位置（距離）
Ｗ７        スナップ・ホック０７’−Ｒ（Ｌ）のスナップ・ホック０６’−Ｒ（Ｌ）からの位置（距離）
Ｗ８        スナップ・ホック０７’−Ｒとスナップ・ホック０７’−Ｌの距離
Ｈ１        本体０１縦の長さ
Ｈ２        背中の当て布０５縦の長さ
Ｌ１        首ひも長さ
【図１】
2011069003.tif 000003
【図２】
2011069003.tif 000004
【図３】
2011069003.tif 000005
【図４】
2011069003.tif 000006
【図５】
2011069003.tif 000007
【図６】
2011069003.tif 000008
【図７】
2011069003.tif 000009
【図８】
2011069003.tif 000010
【図９】
2011069003.tif 000011
【図１０】
2011069003.tif 000012
【図１１】
2011069003.tif 000013
【図１２】
2011069003.tif 000014
【図１３】
2011069003.tif 000015
【図１４】
2011069003.tif 000016
【図１５】
2011069003.tif 000017